【事件の表示】
　特許第６３３７３４９号発明「フラックス、ソルダペースト及び電子回路基板の製造方法」の特許異議申立事件について、次のとおり決定する。
【結　論】
　特許第６３３７３４９号の特許請求の範囲を訂正請求書に添付された訂正特許請求の範囲のとおり、訂正後の請求項〔１〜１０〕について訂正することを認める。
　特許第６３３７３４９号の請求項１、２、５〜１０に係る特許を維持する。
　特許第６３３７３４９号の請求項３、４に係る特許についての特許異議の申立てを却下する。
【理　由】
第１　手続の経緯
　特許第６３３７３４９号（以下、「本件特許」という。）の請求項１〜１０に係る特許についての出願は、平成２９年８月２８日に出願され、平成３０年５月１８日に特許権の設定登録がされ、同年６月６日に特許掲載公報が発行されたものであり、その後、同年１１月３０日付けで請求項１〜１０（全請求項）に係る本件特許に対し、特許異議申立人である上山みち子（以下、「申立人」という。）によって特許異議の申立てがされ、平成３１年２月２１日付けで当審から取消理由が通知され、同年４月２４日付けで特許権者から意見書が提出され、令和１年５月１５日付けで当審から取消理由（決定の予告）が通知され、同年７月１９日付けで特許権者から意見書の提出及び訂正請求（以下、「本件訂正請求」という。）がされ、同年７月２５日付けで当審から申立人に対し訂正請求があった旨の通知（特許法第１２０条の５第５項）をするとともに期間を指定して意見書を提出する機会を与えたところ、同年８月９日付けで申立人から意見書が提出されたものである。
第２　本件訂正の適否
　１　本件訂正請求の趣旨
　本件訂正請求の趣旨は「特許第６３３７３４９号の特許請求の範囲を本件訂正請求書に添付した訂正特許請求の範囲のとおり、訂正後の請求項１〜１０について訂正することを求める。」というものである。
　２　訂正事項
　本件訂正請求に係る訂正（以下、「本件訂正」という。）の内容は、以下の訂正事項のとおりである。なお、下線は訂正箇所を示すために当審が付したものである。
（１）訂正事項１
　請求項１の
　「ヒドロキシ基を１つ以上有すると共に、常温で液体の液体溶剤」という記載を
　「ヒドロキシ基を１つ以上有すると共に、常温で液体の
２−エチル−１，３−ヘキサンジオール、α−テルピオネール及びイソオクタデカノールから選択される
　「ヒドロキシ基を１つ以上有すると共に、常温で固体の固体溶剤」という記載を
　「ヒドロキシ基を１つ以上有すると共に、常温で固体の
トリメチロールプロパン、２，２−ジメチル−１，３−プロパンジオール、２，５−ジメチル−２，５−ヘキサンジオール及び２−ブチル−２−エチル−１，３−プロパンジオールから選択される
（２）訂正事項２
　請求項３を削除する（これに伴い、請求項５、６、１０が請求項３を引用しないものに訂正する。）。
（３）訂正事項３
　請求項４を削除する（これに伴い、請求項５、６、１０が請求項４を引用しないものに訂正する。）。
　３　一群の請求項について
　本件訂正前の請求項１〜１０は、請求項２〜１０が、本件訂正請求の対象である請求項１を引用しており、請求項１の訂正に連動して請求項２〜１０が訂正される関係にあるから、本件訂正は、一群の請求項である請求項１〜１０について請求されたものであり、特許法第１２０条の５第４項の規定に適合する。
　４　訂正要件の検討
（１）訂正の目的の適否，特許請求の範囲の拡張・変更の存否，新規事項の有無
　ア　訂正事項１について
（ア）訂正の目的の適否，特許請求の範囲の拡張・変更の存否
　訂正事項１に係る本件訂正は、「ヒドロキシ基を１つ以上有すると共に、常温で液体の液体溶剤」を「２−エチル−１，３−ヘキサンジオール、α−テルピオネール及びイソオクタデカノールから選択される」ものに限定するとともに、「ヒドロキシ基を１つ以上有すると共に、常温で固体の固体溶剤」を「トリメチロールプロパン、２，２−ジメチル−１，３−プロパンジオール、２，５−ジメチル−２，５−ヘキサンジオール及び２−ブチル−２−エチル−１，３−プロパンジオールから選択される」ものに限定するものであるから、いずれも、特許法第１２０条の５第２項ただし書第１号に掲げる「特許請求の範囲の減縮」を目的とするものであり、実質上特許請求の範囲を拡張し、又は変更するものではないから、特許法第１２０条の５第９項で準用する同法第１２６条第６項の規定に適合する。
（イ）新規事項の有無
　ａ　本件特許の願書に添付した明細書、特許請求の範囲（以下、「本件明細書等」という。ただし、特許請求の範囲は本件訂正前のものである。）には、以下の記載がある。なお、「・・・」は記載の省略を表し、下線は当審が付したものである（以下同様）。
　「【請求項３】
　前記
液体溶剤
２−エチル−１，３−ヘキサンジオール、α−テルピオネール及びイソオクタデカノールから選択される少なくとも１種
【請求項４】
　前記
固体溶剤
トリメチロールプロパン、２，２−ジメチル−１，３−プロパンジオール、２，５−ジメチル−２，５−ヘキサンジオール及び２−ブチル−２−エチル−１，３−プロパンジオールから選択される少なくとも２種
　「【００２２】
　前記
液体溶剤
液体溶剤
２−エチル−１，３−ヘキサンジオール、α−テルピオネール及びイソオクタデカノールから選択される少なくとも１種
「【００２４】
　前記
固体溶剤
固体溶剤
トリメチロールプロパン、２，２−ジメチル−１，３−プロパンジオール、２，５−ジメチル−２，５−ヘキサンジオール及び２−ブチル−２−エチル−１，３−プロパンジオールから選択される少なくとも２種
　ｂ　前記ａの記載によれば、訂正事項１に係る本件訂正は、いずれも本件明細書等に記載した事項の範囲内のものであるといえるから、特許法第１２０条の５第９項で準用する同法第１２６条第５項の規定に適合する。
　イ　訂正事項２について
　訂正事項２に係る本件訂正のうち、請求項３を削除する訂正は、特許法第１２０条の５第２項ただし書第１号に掲げる「特許請求の範囲の減縮」を目的とするものであり、これに伴って、請求項５、６、１０が請求項３を引用しないものにする訂正は、特許法第１２０条の５第２項ただし書第３号に掲げる「明瞭でない記載の釈明」を目的とするものである。
　そして、いずれの訂正も、実質上特許請求の範囲を拡張し、又は変更するものではないから、特許法第１２０条の５第９項で準用する同法第１２６条第６項の規定に適合し、また、本件明細書等に記載した事項の範囲内のものであるから、特許法第１２０条の５第９項で準用する同法第１２６条第５項の規定に適合する。
　ウ　訂正事項３について
　訂正事項３に係る本件訂正のうち、請求項４を削除する訂正は、特許法第１２０条の５第２項ただし書第１号に掲げる「特許請求の範囲の減縮」を目的とするものであり、これに伴って、請求項５、６、１０が請求項４を引用しないものにする訂正は、特許法第１２０条の５第２項ただし書第３号に掲げる「明瞭でない記載の釈明」を目的とするものである。
　そして、いずれの訂正も、実質上特許請求の範囲を拡張し、又は変更するものではないから、特許法第１２０条の５第９項で準用する同法第１２６条第６項の規定に適合し、また、本件明細書等に記載した事項の範囲内のものであるから、特許法第１２０条の５第９項で準用する同法第１２６条第５項の規定に適合する。
（２）独立特許要件
　特許異議の申立ては、本件訂正前の請求項１〜１０の全請求項に対してされているから、特許法第１２０条の５第９項において読み替えて準用する同法第１２６条第７項の規定は適用されない。
　５　小括
　以上のとおり、本件訂正は、特許法第１２０条の５第２項ただし書第１号及び第３号に掲げる事項を目的とするものであり、同条第４項並びに、同条第９項で準用する同法第１２６条第５項及び第６項の規定に適合する。
　そして、本件訂正は、請求項間の引用関係の解消を目的とするものではなく、特定の請求項に係る訂正事項について別の請求単位とする求めもない。
　したがって、特許請求の範囲を、訂正請求書に添付された訂正特許請求の範囲のとおり、請求項〔１〜１０〕について訂正することを認める。
第３　特許異議申立について
　１　本件発明
　本件訂正が認められたので、本件特許の特許請求の範囲の請求項１〜１０に係る発明（以下、それぞれ順に、「本件発明１」〜「本件発明１０」という。）は、本件訂正後の特許請求の範囲の請求項１〜１０に記載された次のとおりのものである。
「【請求項１】
　はんだ付け用フラックスであって、
　ヒドロキシ基を１つ以上有すると共に、常温で液体の
２−エチル−１，３−ヘキサンジオール、α−テルピオネール及びイソオクタデカノールから選択される
トリメチロールプロパン、２，２−ジメチル−１，３−プロパンジオール、２，５−ジメチル−２，５−ヘキサンジオール及び２−ブチル−２−エチル−１，３−プロパンジオールから選択される
　各固体溶剤の含有量が、前記液体溶剤及び前記固体溶剤の合計含有量に対して、２質量％以上４０質量％未満であり、
　前記固体溶剤の合計含有量が、前記液体溶剤及び前記固体溶剤の合計含有量に対して、３０質量％以上８０質量％未満である、フラックス。
【請求項２】
　前記固体溶剤のうち任意の２種の固体溶剤ｉ，ｊは、前記液体溶剤及び前記固体溶剤の合計含有量に対するそれぞれの含有量Ｘｉ，Ｘｊが、下記（１）式を満たす、請求項１に記載のフラックス。
　Ｘｉ＜０．２１２１×Ｘｊ＋３１．８１８　　　・・・（１）
【請求項３】
（削除）
【請求項４】
（削除）
【請求項５】
　さらに、活性剤、酸化防止剤、界面活性剤、消泡剤、及び、腐食防止剤から選択される少なくとも１種を含む、請求項１
又は２
【請求項６】
　請求項１
，２又は
【請求項７】
　前記チキソ剤は、脂肪酸アミドである、請求項６に記載のソルダペースト。
【請求項８】
　前記脂肪酸アミドは、ステアリン酸アミド、ラウリン酸アミド、パルミチン酸アミド、オレイン酸アミド、エルカ酸アミド、ベヘン酸アミド及びヒドロキシステアリン酸アミドから選択される少なくとも１種である、請求項７に記載のソルダペースト。
【請求項９】
　前記脂肪酸アミドは、ステアリン酸アミド及びラウリン酸アミドから選択される少なくとも１種である、請求項７に記載のソルダペースト。
【請求項１０】
　請求項１
，２又は
　２　取消理由通知に記載した取消理由について
（１）取消理由通知の概要
　本件訂正前の請求項１〜１０に対し、平成３１年２月２１日付けで当審から特許権者に通知した取消理由の概要は以下のとおりである。
　また、令和１年５月１５日付けで当審から特許権者に通知した取消理由（決定の予告）は、下記の理由２（サポート要件違反）が依然として解消していないことを通知したものである。
理由１（明確性要件違反）
　本件特許の請求項１〜１０に係る特許は、特許法第３６条第６項第２号に規定する要件を満たしていない特許出願に対してされたものである。
理由２（サポート要件違反）
　本件特許の請求項１〜１０に係る特許は、特許法第３６条第６項第１号に規定する要件を満たしていない特許出願に対してされたものである。
（２）当審の判断
（２）−１　理由１（明確性要件違反）について
　ア　理由１（明確性要件違反）で指摘した事項の概要は、以下のとおりである。
（ア）請求項１の「常温」という記載のみでは、「常温」が、いかなる温度を意味するのかが明確であるとはいえない。
　仮に、発明の詳細な説明の記載に基づいて、上記「常温」が、「常温（２０〜３０℃）」（【００２２】、【００２４】）を意味するとしても、請求項１の「常温で液体」又は「常温で固体」という記載が、発明の詳細な説明のいかなる記載又は、どのような技術常識に基づいて、
　（ｉ）
「２０〜３０℃」の温度範囲の全ての温度において「液体」又は「固体」であること
　（ii）
上記温度範囲のある特定の温度において「液体」又は「固体」であればよいこと
が明確であるとはいえない。
　さらに、上記（ii）の場合には、上記温度範囲において「液体」及び「固体」のいずれにもなり得る溶剤（例えば、２０℃では固体であり、３０℃では液体である溶剤）が存在する場合、当該溶剤が「液体溶剤」及び「固体溶剤」のいずれかのみに該当するのか、又は、いずれにも該当するのかも、明確であるとはいえない。
（イ）また、請求項１の「液体」及び「固体」という記載が、それぞれ、どのような状態を意味するのかも明確であるとはいえない。
　すなわち、高分子化合物では、ある温度において、巨視的には粘性のある流体に見えても、微視的には固体状態と液体状態にある同一の高分子化合物が混合した状態にある場合も想定することができるところ、このような状態の高分子化合物が請求項１に記載された「液体」及び「固体」のいずれの状態に該当するのかは明確であるとはいえない。
（ウ）したがって、請求項１及び請求項１を引用する請求項２〜１０の記載は明確であるとはいえない。
　イ　これに対し、特許権者は、平成３１年４月２４日付け意見書において以下の主張をしている。
（ア）請求項１の「常温」という記載は、発明の詳細な説明の【００２２】及び【００２４】に記載されているとおり、「２０〜３０℃」を意味することは明らかである。
　また、請求項１の「常温で液体」及び「常温で固体」の記載について、発明の詳細な説明の【００２２】及び【００２４】では、それぞれ、「常温（２０〜３０℃）で液体」及び「常温（２０〜３０℃）で固体」と記載されており、これらの記載は、液体溶剤は少なくとも「２０〜３０℃」の温度範囲では「液体」であり、固体溶剤は少なくとも「２０〜３０℃」の温度範囲では「固体」であると解されるから、請求項１の「常温で液体」及び「常温で固体」の記載は、「２０〜３０℃」の温度範囲の全ての温度において、「液体」及び「固体」であることを意味することは明らかである。
（イ）一般に「溶剤」は、低分子化合物であって高分子化合物でないことは本件特許の出願時における当業者の技術常識である。
　そして、低分子化合物は高分子化合物とは異なり、固体状態と液体状態を容易に区別することができることも本願出願時の技術常識である。
　したがって、請求項１の「固体」及び「液体」の記載が、それぞれ、どのような状態を意味するのかは明確である。
（ウ）以上のとおりであるから、請求項１及び請求項１を引用する請求項２〜１０の記載は明確である。
　ウ　前記イの主張によれば、請求項１の「常温」という記載は、「２０〜３０℃」の温度範囲を意味し、請求項１の「常温で液体」及び「常温で固体」の記載は、「２０〜３０℃」の温度範囲の全ての温度において、「液体」及び「固体」であることを意味すると認められ、また、請求項１に記載の「液体溶剤」及び「固体溶剤」は、いずれも低分子化合物に属するから、液体状態と固体状態を容易に区別することができるものと認められる。
　エ　以上のとおりであるから、前記イの意見書における主張によって、理由１（明確性要件違反）は解消した。
（２）−２　理由２（サポート要件違反）について
　ア　理由２（サポート要件違反）で指摘した事項の概要は、以下のとおりである。
（ア）
請求項１に係る発明が解決しようとする課題
高粘性であると共に、結晶化を抑制することが可能なフラックス、ソルダペースト及び電子回路基板の製造方法を提供すること
（イ）そして、発明の詳細な説明の記載によれば、
当業者が前記（ア）の課題を解決できると認識し得るといえるためには、「液体溶剤」として
（請求項３の記載事項）から選択される少なくとも１種を用い、「固体溶剤」として
（請求項４の記載事項）から選択される少なくとも２種を用いる必要がある
請求項１では、請求項３及び４に記載された上記の事項が特定されていない
（ウ）したがって、請求項３及び４に記載された事項が特定されていない場合を含む
請求項１及び
請求項２〜１０に係る発明は、当業者が当該発明の課題を解決できると認識し得る範囲のものであるとはいえない
　イ　これに対し、前記「第２」で検討したとおり、本件訂正後の請求項１では、本件訂正前の請求項３及び４に記載された事項が特定されたから、本件訂正請求によって、理由２（サポート要件違反）は解消した。
　ウ　申立人の主張について
（ア）申立人は、本件訂正後の請求項１の記載について、令和１年８月９日付けの意見書において、「２−エチル−１，３−ヘキサンジオール、α−テルピオネール及びイソオクタデカノールから選択される液体溶剤を少なくとも１種と」という記載は、２−エチル−１，３−ヘキサンジオール、α−テルピオネール及びイソオクタデカノールとは
別の液体溶剤を有してもよいかのような記載
別の固体溶剤を有してもよいかのような記載
（イ）しかし、本件訂正後の請求項１の「２−エチル−１，３−ヘキサンジオール、α−テルピオネール及びイソオクタデカノールから選択される液体溶剤を少なくとも１種
と
含み
別の液体溶剤を含有することを許容する記載ではない
　同様に、「トリメチロールプロパン、２，２−ジメチル−１，３−プロパンジオール、２，５−ジメチル−２，５−ヘキサンジオール及び２−ブチル−２−エチル−１，３−プロパンジオールから選択される固体溶剤を少なくとも２種と」という記載は、トリメチロールプロパン、２，２−ジメチル−１，３−プロパンジオール、２，５−ジメチル−２，５−ヘキサンジオール及び２−ブチル−２−エチル−１，３−プロパンジオールとは
別の固体溶剤を含有することを許容する記載ではない
（ウ）以上のとおり、前記（ア）の主張は根拠を欠くものであるから、これを採用することはできない。
　３　取消理由通知において採用しなかった特許異議申立理由について
　本件訂正前の請求項１〜１０に対する特許異議申立理由のうち、取消理由通知において採用しなかったものの概要は、以下のとおりである。
（１）取消理由通知で採用しなかった特許異議申立理由の概要
　ア　申立理由１（進歩性欠如）
　本件特許の請求項１〜１０に係る発明は、甲第１号証及び甲第４号証に記載された発明に基いて、又は、甲第１号証〜甲第４号証に記載された発明に基いて、当業者が容易に発明をすることができたものであるから、特許法第２９条第２項の規定に違反してされたものである。
［証拠方法］
　・甲第１号証：特開２０１３−１３２６５４号公報
　・甲第２号証の１：「製品安全データシート」、純正化学株式会社、改定日：２０１３年８月１９日、１／６〜６／６頁、ＵＲＬ：http://junsei.ehost.jp/productsearch/msds/17260jis.pdf#search=%27%E3%82%AA%E3%82%AF%E3%82%BF%E3%83%B3%E3%82%B8%E3%82%AA%E3%83%BC%E3%83%AB%27、印刷日：２０１８年１１月２６日
　・甲第２号証の２：「平成２２年度　厚生労働省・環境省によるＧＨＳ分類結果」、独立行政法人製品評価技術基盤機構、ＵＲＬ：http://www.safe.nite.go.jp/ghs/h22_mhlw_list.html、印刷日：２０１８年１１月２６日
　・甲第２号証の３：「安全データシート」、改定日：２０１２年３月３０日、ＵＲＬ：http://anzeninfo.mhlw.go.jp/anzen/gmsds/94-96-2.html、印刷日：２０１８年１１月２６日
　・甲第３号証：「Chemical Book」、ＵＲＬ：https://www.chemicalbook.com/ChemicalProcuctProperty_JP_CB6193771.htm、印刷日：２０１８年１１月２６日
　・甲第４号証：特開２００４−２５３０５号公報
（以下、「甲第１号証」を「甲１」という。他の甲号証についても同様。）
　イ　申立理由２（明確性要件違反）
　請求項１に係る発明は、「液体溶剤、固体溶剤及びチキソ剤のみからなるフラックス」であると解釈されるべきことからすれば、請求項１を引用する請求項５において、「活性剤、酸化防止剤、界面活性剤、消泡材、及び、腐食防止剤から選択される少なくとも１種」をさらに含むことはできないから、請求項５に係る発明は明確であるということはできない。
　したがって、本件特許の請求項５及び請求項５を引用する請求項６〜１０に係る特許は、特許法第３６条第６項第２号に規定する要件を満たしていない特許出願に対してされたものである。
（２）当審の判断
（２）−１　申立理由１（進歩性欠如）について
　ア　各甲号証の記載事項
（ア）甲１の記載事項
　ａ　甲１には、以下の記載がある。
　「【０００１】
　本発明は・・・フラックスの分離抑制効果を持ち吐出法での使用が可能で、かつ、フラックスの無残渣を実現できるソルダペーストに関する。」
　「【００３３】
　本発明は・・・吐出不安定と、突如として発生するノズルの詰まりを解消し、かつ、はんだ付け時の加熱でフラックスが分解して無残渣となるソルダペーストを提供することを目的とする。」
　「【００３５】
　・・・発明者らは、ポリアルキルメタクリレートによるはんだ粉末の沈降防止効果と、ステアリン酸アミドによって・・・ソルダペーストの流動性を高める効果を併用することで、吐出安定性が実現でき・・・吐出法に相応しいソルダペーストに、はんだ付け後にフラックスが無残渣になる特性を加味した・・・。
【００３６】
　本発明は、はんだ粉末とフラックスが混合されて生成されたソルダペーストにおいて、フラックスは、常温域ではんだ粉末の沈降を防止し、はんだ付け時の加熱過程で分解または蒸発する量の・・・ポリアルキルメタクリレートを１．０質量％以上〜２．０質量％未満で含むと共に、粘性調整剤としてステアリン酸アミドを５．０質量％以上〜１５．０質量％未満で含み、粘度を５０〜１５０Ｐａ．ｓとしたソルダペーストである。」
　「【００３８】
　本発明のソルダペーストでは、リフローによるはんだ付けの加熱でフラックスが分解または蒸発してフラックス残渣が残留せず、無残渣を実現することができる。また・・・はんだ粉末の沈降を防止すると共に、所望の粘度を維持することで、吐出法での吐出供給時の吐出量を安定させることができる。・・・」
　「【００５３】
　・・・
　以下の表１に示す組成で組成１〜組成３のフラックスを調合した。・・・」
　「【００６１】
　・・・
　以下の表３に示す組成で組成４〜組成７のフラックスを調合し・・・た。・・・」
　「
」
　ｂ　前記ａによれば、甲１には以下の事項が記載されている。
（ａ）甲１に記載された発明は、フラックスの分離抑制効果があり、吐出法での使用が可能で、かつ、フラックスの無残渣を実現できるソルダペーストに関するもので（【０００１】）、吐出法で使用する際の吐出不安定と突如として発生するノズルの詰まりを解消し、かつ、はんだ付け時の加熱でフラックスが分解して無残渣となるソルダペーストを提供することを目的とする（【００３３】）。
（ｂ）甲１には、ポリアルキルメタクリレートには、はんだ粉末の沈降防止効果があり、ステアリン酸アミドには、ソルダペーストの流動性を高める効果があり（【００３５】）、その結果、前記（ａ）の目的を達成することができる「はんだ粉末とフラックスが混合されて生成されたソルダペーストにおいて、フラックスは、常温域ではんだ粉末の沈降を防止し、はんだ付け時の加熱過程で分解または蒸発する量のポリアルキルメタクリレートを１．０質量％以上〜２．０質量％未満で含むとともに、粘性調整剤としてステアリン酸アミドを５．０質量％以上〜１５．０質量％未満で含み、粘度を５０〜１５０Ｐａ．ｓとしたソルダペースト」が記載されている（【００３６】、【００３８】）。
（ｃ）実施例においては、表１に示す組成１〜３のフラックス、及び、表３に示す組成４〜７のフラックスを調合した（【００５３】、【００６１】、表１、表３）。
　ここで、表１、３の「揮発性増粘材」の具体的な材料については、甲１には記載がない。
　また、前記（ｂ）に照らし、表１、２の「％」は「質量％」を意味すると認められる。
　ｃ　前記ｂによれば、甲１には、表１及び３の組成１〜７に基づいて認定した以下の「甲１発明」が記載されているものと認められる。
（甲１発明）
　揮発性増粘剤、トリメチロールプロパン、ステアリン酸アミド、ポリアルキルメタクリレート、１，２，６−ヘキサントリオール、及び、オクタンジオールからなり、質量％で示されるそれぞれの含有量が【表１】及び【表３】の組成１〜組成７に示された値であるフラックス。
　
（イ）甲２の１の記載事項
　甲２の１の「３，組成、成分情報」（第２／６頁）には、「化学名：２−エチル−１，３−ヘキサンジオール」の「別名」が「オクタンジオール」であることが記載されている。
（ウ）甲２の２の記載事項
　甲２の２の第３頁の項番号「１３２」には、「２−エチルヘキサン−１，３−ジオール」の「別名」が「オクタンジオール」であることが記載されている。
（エ）甲２の３の記載事項
　甲２の３の「１．化学物質等及び会社情報」（第１頁）の「化学物質等の名称」には、「２−エチルヘキサン−１，３−ジオール（オクタンジオール）」と記載されている。
（オ）甲３の記載事項
　甲３の「１，２，６−ヘキサントリオール物理性質」（第１頁）には、「外見：Viscous Liquid」（粘性液体）と記載されている。
（カ）甲４の記載事項
　ａ　甲４には、以下の記載がある。
　「【請求項１】
粉末はんだとペースト状フラックスとを混合したリフローはんだ付け用のソルダペーストであって、フラックスが、常温で固体でリフロー温度で蒸発する少なくとも１種の固体溶剤と、常温で高粘性流体でリフロー温度で蒸発する少なくとも１種の高粘性溶剤と、常温で液体でリフロー温度で蒸発する少なくとも１種の液体溶剤とを含んでいることを特徴とする、無残渣ソルダペースト。」
　「【請求項４】
前記固体溶剤が２，５−ジメチルヘキサン−２，５−ジオールおよびトリメチロールプロパンから選ばれる請求項１〜３のいずれかに記載の無残渣ソルダペースト。
【請求項５】
前記高粘性溶剤がイソボルニルシクロヘキサノールである請求項１〜４のいずれかに記載の無残渣ソルダペースト。
【請求項６】
前記液体溶剤がアルカンジオールおよびポリアルキレングリコールから選ばれる請求項１〜５のいずれかに記載の無残渣ソルダペースト。」
　「【０００１】
【発明の属する技術分野】
本発明は・・・リフローはんだ付け後にフラックス残渣がほとんどまたは全く残らないソルダペーストに関する。」
　「【０００３】
一般に、ソルダペーストのフラックスは、ロジン（松脂）・・・等の固形成分を液状の溶剤で溶解して適度な粘調性を得るようにしてある。従来のソルダペーストは・・・リフロー後、固形成分がはんだ付け部にフラックス残渣として大量に残っていた。このように、はんだ付け部にフラックス残渣が大量に残っていると、外観が悪く、ピンコンタクト性を阻害する上、フラックス残渣が吸湿してワークの回路間の絶縁抵抗を下げたり、腐食生成物が発生して回路を断線させたりするという問題を起こすことがある。・・・」
　「【００１６】
本発明は、ロジンを含有せずに無残渣であるにもかかわらず、フラックスに最適の流動特性を付与することができ、部品保持性、保存安定性、印刷性、吐出性、及びぬれ性が良く、リフローはんだ付け後に無洗浄で樹脂コーティングや樹脂モールディングを実施できる、無残渣ソルダペーストを提供することを課題とする。」
　「【００１９】
本発明において「高粘性溶剤」とは、溶剤の３０℃での粘度が１０，０００ｃｐｓ以上で、室温で水飴状の流体であることを意味する。・・・」
　「【００２３】
固体溶剤と高粘性溶剤は、従来のソルダペーストにおけるロジンの代わりをするものであり、両者を併用することによって、ロジンを使用したときと同じような流動特性、従って、良好な転写性と部品保持性と保存安定性、をソルダペーストに付与することができる。・・・」
　「【００２５】
固体溶剤と高粘性溶剤の質量比は、フラックスの流動特性が従来のロジン系フラックスに近づくように、両溶剤の種類に応じて選択する。一般的には、固体溶剤：高粘性溶剤の質量比は５：１〜１：１０の範囲内である。」
　ｂ　前記ａによれば、甲４には以下の事項が記載されている。
（ａ）甲４に記載された発明は、リフローはんだ付け後にフラックス残渣がほとんど又は全く残らないソルダペーストに関する（【０００１】）。
（ｂ）従来、ソルダペーストのフラックスは、ロジン（松脂）等の固形成分を液状の溶剤で溶解して適度な粘調性を得るようにしてあったが、リフロー後、これらの固形成分がはんだ付け部にフラックス残渣として大量に残っていたため、回路が断線する等の問題を起こすことがあったところ（【０００３】）、上記問題に鑑み、甲４に記載された発明は、ロジンを含有せずに無残渣であるにもかかわらず、フラックスに最適の流動特性を付与することができ、部品保持性、保存安定性、印刷性、吐出性、及びぬれ性が良く、リフローはんだ付け後に無洗浄で樹脂コーティングや樹脂モールディングを実施できる、無残渣ソルダペーストを提供することを発明が解決しようとする課題とする（【００１６】）。
（ｃ）甲４に記載された発明は、粉末はんだとペースト状フラックスとを混合したリフローはんだ付け用のソルダペーストであって、
フラックスが、常温で固体でリフロー温度で蒸発する少なくとも１種の固体溶剤と、常温で高粘性流体でリフロー温度で蒸発する少なくとも１種の高粘性溶剤と、常温で液体でリフロー温度で蒸発する少なくとも１種の液体溶剤とを含んでいる
　前記
固体溶剤が２，５−ジメチルヘキサン−２，５−ジオール及びトリメチロールプロパンから選ばれ
　前記高粘性溶剤がイソボルニルシクロヘキサノールであり（【請求項５】）、
　前記液体溶剤がアルカンジオール及びポリアルキレングリコールから選ばれる（【請求項６】）ものである。
　そして、上記「高粘性溶剤」とは、３０℃での粘度が１０，０００ｃｐｓ以上で、室温で水飴状の流体である溶剤を意味する（【００１９】）。
（ｄ）甲４に記載された発明における
固体溶剤と高粘性溶剤は、従来のソルダペーストにおけるロジンの代わりをするもの
　そして、固体溶剤と高粘性溶剤の質量比は、フラックスの流動特性が従来のロジン系フラックスに近づくように、両溶剤の種類に応じて選択する。一般的には、固体溶剤：高粘性溶剤の質量比は５：１（１：０．２）〜１：１０の範囲内である（【００２５】）。
（ｅ）ここで、前記（ｃ）によれば、甲４に記載された発明では、２，５−ジメチルヘキサン−２，５−ジオール及びトリメチロールプロパンから選ばれる「固体溶剤」が「少なくとも１種」とされているが、
甲４には、「固体溶剤」を２種類以上用いることの技術的意義に関する記載はなく
　また、
実施例においても、「固体溶剤」として、「２，５−ジメチルヘキサン−２，５−ジオール」及び「トリメチロールプロパン」のいずれか１種のみを用いた場合が開示されているのみ
　イ　本件発明１について
（ア）本件発明１と甲１発明との対比
　ａ　本件発明１と甲１発明とを対比すると、甲１発明の「フラックス」がはんだ付け用のものであることは明らかであるから、甲１発明の「フラックス」と本件発明１の「はんだ付け用フラックス」は、「はんだ付け用フラックス」である点で共通する。
　ｂ　甲１発明の「トリメチロールプロパン」は、本件発明１の「ヒドロキシ基を１つ以上有すると共に、常温で固体のトリメチロールプロパン」「から選択される固体溶剤」に相当する。
　ｃ　本件明細書等には、「
チキソ剤
ステアリン酸アミド
チキソ剤としては、特に限定されるものではなく
チキソ剤
ポリアルキルメタクリレート
　そうすると、甲１発明の「ステアリン酸アミド」及び「ポリアルキルメタクリレート」は、いずれも、本件発明１の「チキソ剤」に相当する。
　ｄ　甲２の１〜３（前記「ア」「（イ）」〜「（エ）」参照。）によれば、
甲１発明の「オクタンジオール」が「２−エチル−１，３−ヘキサンジオール」の別名である
　ｅ　以上によれば、本件発明１と甲１発明との一致点及び相違点１、２は以下のとおりである。
（一致点）
　はんだ付け用フラックスであって、
　ヒドロキシ基を１つ以上有すると共に、常温で液体の２−エチル−１，３−ヘキサンジオールからなる液体溶剤と、ヒドロキシ基を１つ以上有すると共に、常温で固体のトリメチロールプロパンからなる固体溶剤と、チキソ剤とを含む、フラックス。
（相違点１）
　本件発明１では、固体溶剤は、トリメチロールプロパンの他に、２，２−ジメチル−１，３−プロパンジオール、２，５−ジメチル−２，５−ヘキサンジオール及び２−ブチル−２−エチル−１，３−プロパンジオールから少なくとも１種が選択され、
　さらに、各固体溶剤の含有量が、液体溶剤及び固体溶剤の合計含有量に対して、２質量％以上４０質量％未満であり、固体溶剤の合計含有量が、液体溶剤及び固体溶剤の合計含有量に対して、３０質量％以上８０質量％未満であることが特定されているのに対して、
　甲１発明では、トリメチロールプロパンの他に、２，２−ジメチル−１，３−プロパンジオール、２，５−ジメチル−２，５−ヘキサンジオール及び２−ブチル−２−エチル−１，３−プロパンジオールから選択される固体溶剤を含まない点。
（相違点２）
　本件発明１の「はんだ付け用フラックス」は、「液体溶剤」と、「固体溶剤」と、「チキソ剤」とからなるのに対して、
　甲１発明の「フラックス」は、「オクタンジオール」（液体溶剤）と、「トリメチロールプロパン」（固体溶剤）と、「ステアリン酸アミド」及び「ポリアルキルメタクリレート」（チキソ剤）の他に、「揮発性増粘剤」及び「１，２，６−ヘキサントリオール」を含有する点。
（イ）相違点１について
　ａ　甲１には、固体溶剤として、トリメチロールプロパンに加えて、２，２−ジメチル−１，３−プロパンジオール、２，５−ジメチル−２，５−ヘキサンジオール及び２−ブチル−２−エチル−１，３−プロパンジオールから選択された少なくとも１種を含有させることは、記載も示唆もされていない。
　ｂ　他方、
甲４
常温で固体でリフロー温度で蒸発する少なくとも１種の固体溶剤と、常温で高粘性流体でリフロー温度で蒸発する少なくとも１種の高粘性溶剤と、常温で液体でリフロー温度で蒸発する少なくとも１種の液体溶剤とを含むフラックス
固体溶剤が２，５−ジメチルヘキサン−２，５−ジオール及びトリメチロールプロパンから選ばれ、高粘性溶剤が３０℃での粘度が１０，０００ｃｐｓ以上で、室温で水飴状の流体である溶剤であること
　また、甲４には、上記の
固体溶剤と高粘性溶剤は、従来のソルダペーストにおけるロジンの代わりをするもの
　しかし、仮に、上記「高粘性溶剤」が、本件発明１の「固体溶剤」に相当するとしても、甲４には、
「固体溶剤」を２種類以上用いることの技術的意義に関する記載はなく
実施例においても、「固体溶剤」として、「２，５−ジメチルヘキサン−２，５−ジオール」及び「トリメチロールプロパン」のいずれか１種のみを用いた場合が開示されているのみ
　ｃ　ここで、甲１発明のフラックスは、ロジンを含有しておらず、「揮発性増粘剤」（具体的な材料については、甲１には記載がない。）及び「１，２，６−ヘキサントリオール」を含有しているところ、後者の
「１，２，６−ヘキサントリオール」は
「Viscous Liquid（粘性液体）」である
甲１発明のフラックスは、ロジンを含有せず、粘性を高くする成分として、固体溶剤であるトリメチロールプロパンに加えて、「揮発性増粘剤」及び「１，２，６−ヘキサントリオール」を含有している
　以上によれば、上記の３成分によって、
甲１発明のペーストでは、ロジンを含有しない状態においても、必要とする粘性は既に確保されているものと考えられ、また、甲１発明のペーストには、各成分の含有量をどのように調整しても、粘性が不足して必要とする粘性を確保できない特段の事情があるとも認められない
　そして、前記ｂのとおり、
甲４には、２，５−ジメチルヘキサン−２，５−ジオール及びトリメチロールプロパンから選ばれる少なくとも１種を固体溶剤として選択することが記載されている
甲４の上記記載のみでは、甲１発明の固体溶剤としてさらに、２，５−ジメチルヘキサン−２，５−ジオールを追加して用いることを動機付ける根拠とはならない
　ｄ　よって、甲１発明において、本件発明１の相違点１に係る事項を備えるようにすることは、当業者が容易になし得たことであるとはいえない。
（ウ）相違点２について
　ａ　相違点１で検討したとおり、甲１発明のペーストに含有される「揮発性増粘剤」及び「１，２，６−ヘキサントリオール」はいずれもペーストの粘性を高くする成分であると考えられ、上記２成分を含有しないようにした場合にも、必要とする粘性を確保できるか否かは不明であり、また、当業者が敢えてこのようにすることを動機付ける根拠も見いだせない。
　また、甲１発明のペーストにおいて、「揮発性増粘剤」及び「１，２，６−ヘキサントリオール」を含有させずに、甲４の記載に基づいて、固体溶剤としてさらに、２，５−ジメチルヘキサン−２，５−ジオールを用いる場合を考えてみても、この場合に、必要とする粘性を確保できるか否かは不明というほかなく、当業者が敢えてこのようにすることを動機付ける根拠も見いだせない。
　ｂ　よって、甲１発明において、本件発明１の相違点２に係る事項を備えるようにすることは、当業者が容易になし得たことであるとはいえない。
（エ）以上のとおりであるから、本件発明１は、甲１及び甲４に記載された発明に基いて、又は、甲１〜甲４に記載された発明に基いて、当業者が容易に発明をすることができたものであるとはいえない。
　ウ　本件発明２、５〜１０について
　本件発明２、５〜１０は、引用により本件発明１の発明特定事項を全て有するから、本件発明１と同様の理由により、甲１及び甲４に記載された発明に基いて、又は、甲１〜甲４に記載された発明に基いて、当業者が容易に発明をすることができたものであるとはいえない。
　エ　以上のとおり、本件発明１、２〜１０は、甲１及び甲４に記載された発明に基いて、又は、甲１〜甲４に記載された発明に基いて、当業者が容易に発明をすることができたものであるとはいえないから、申立理由１（進歩性欠如）には理由がない。
（２）−２　申立理由２（明確性要件違反）について
　ア　請求項１では、「液体溶剤」と、「固体溶剤」と、「チキソ剤」とからなることが特定されており、請求項１を引用する請求項５では、「さらに、活性剤、酸化防止剤、界面活性剤、消泡剤、及び、腐食防止剤から選択される少なくとも１種を含む」ことが特定されているところ、
請求項５では、上記のとおり、「さらに」という記載を付した上で、活性剤、酸化防止剤、界面活性剤、消泡剤、及び、腐食防止剤から選択される少なくとも１種を含む」ことを特定している
　イ　したがって、本件特許の請求項５及び請求項５を引用する請求項６〜１０に係る特許は、特許法第３６条第６項第２号に規定する要件を満たしているといえるから、申立理由２（明確性要件違反）には理由がない。
第４　むすび
　以上のとおり、請求項１、２、５〜１０に係る本件特許は、取消理由通知に記載した取消理由及び特許異議申立書に記載した申立理由によっては、取り消すことはできない。
　また、請求項３及び４は本件訂正により削除され、請求項３及び４に係る本件特許に対する特許異議の申立ては、その対象が存在しないものとなったため、特許法第１２０条の８第１項で準用する同法１３５条の規定により却下する。
　よって、結論のとおり決定する。
【異議決定日】
令和１年８月２９日（２０１９．８．２９）
【訂正の要旨】
審決（決定）の【理由】欄参照。
（５７）【特許請求の範囲】
　【請求項１】
　はんだ付け用フラックスであって、
　ヒドロキシ基を１つ以上有すると共に、常温で液体の
２−エチル−１，３−ヘキサンジオール、α−テルピオネール及びイソオクタデカノールから選択される
トリメチロールプロパン、２，２−ジメチル−１，３−プロパンジオール、２，５−ジメチル−２，５−ヘキサンジオール及び２−ブチル−２−エチル−１，３−プロパンジオールから選択される
　各固体溶剤の含有量が、前記液体溶剤及び前記固体溶剤の合計含有量に対して、２質量％以上４０質量％未満であり、
　前記固体溶剤の合計含有量が、前記液体溶剤及び前記固体溶剤の合計含有量に対して、３０質量％以上８０質量％未満である、フラックス。
　【請求項２】
　前記固体溶剤のうち任意の２種の固体溶剤ｉ，ｊは、前記液体溶剤及び前記固体溶剤の合計含有量に対するそれぞれの含有量Ｘｉ，Ｘｊが、下記（１）式を満たす、請求項１に記載のフラックス。
　Ｘｉ＜０．２１２１×Ｘｊ＋３１．８１８　　　・・・（１）
　【請求項３】
（削除）
　【請求項４】
（削除）
　【請求項５】
　さらに、活性剤、酸化防止剤、界面活性剤、消泡剤、及び、腐食防止剤から選択される少なくとも１種を含む、請求項１
又は２
　【請求項６】
　請求項１
，２又は
　【請求項７】
　前記チキソ剤は、脂肪酸アミドである、請求項６に記載のソルダペースト。
　【請求項８】
　前記脂肪酸アミドは、ステアリン酸アミド、ラウリン酸アミド、パルミチン酸アミド、オレイン酸アミド、エルカ酸アミド、ベヘン酸アミド及びヒドロキシステアリン酸アミドから選択される少なくとも１種である、請求項７に記載のソルダペースト。
　【請求項９】
　前記脂肪酸アミドは、ステアリン酸アミド及びラウリン酸アミドから選択される少なくとも１種である、請求項７に記載のソルダペースト。
　【請求項１０】
　請求項１
，２又は